(57)【要約】【課題】後キャビネット内に確保される光源から発生した熱を放出するための空間の大きさを最小限に止めて、小型化を図ることができる表示装置を提供する。【解決手段】映像を表示する表示パネル１の周囲に前キャビネット２を配置し、該前キャビネット２の後側に後キャビネット４を配置する。後キャビネット４の後面に開口４ｃを設け、該開口４ｃに放熱板７ａを対面させて、開口４ｃ内の空間へＬＥＤ７ｃからの熱を放出する構成とした。【選択図】図２
2010276857.tif 000002
【特許請求の範囲】
【請求項１】
映像を表示する表示パネルの周囲に配置される枠形の前キャビネットと、該前キャビネットの後側に配置される後キャビネットと、該後キャビネットに収容され、前記表示パネルへ光を照射する光源とを備える表示装置において、
前記後キャビネットの後面に開口が設けてあり、
該開口に前記光源を対面させてあることを特徴とする表示装置。
【請求項２】
前記開口を塞ぐ蓋体を備えることを特徴とする請求項１に記載の表示装置。
【請求項３】
前記蓋体と前記光源との間に、前記光源又は表示パネルの駆動を制御する制御基板が設けてあることを特徴とする請求項２に記載の表示装置。
【請求項４】
前記光源を固定するための格子部が前記開口の内側に設けてあることを特徴とする請求項１から３のいずれか一つに記載の表示装置。
【請求項５】
前記格子部の交差部分に前後方向に延びる筒状のボス部が形成してあり、
該ボス部を挿通したねじによって前記光源をねじ止めするようにしてあること
を特徴とする請求項４に記載の表示装置。
【請求項６】
前記格子部は、前記制御基板を固定するための外向きに突出した固定部を備えることを特徴とする請求項４又は５に記載の表示装置。
【請求項７】
前記光源と前記表示パネルとの間に配置され、前記光源から照射された光を拡散する拡散板を備え、
前記拡散板を係止する係止溝が前記後キャビネットの縁部分に形成してあること
を特徴とする請求項１から６のいずれか一つに記載の表示装置。
【請求項８】
前記光源はＬＥＤユニットであることを特徴とする請求項１から７のいずれか一つに記載の表示装置。
【請求項９】
前記蓋体に端子を挿入するための挿入孔が設けてあることを特徴とする請求項２から８のいずれか一つに記載の表示装置。
【発明の詳細な説明】
【技術分野】
【０００１】
本発明は映像を表示する表示装置に関する。
【背景技術】
【０００２】
表示画面の大きさに比べて室内の占有面積が小さい液晶表示装置は、限られた室内空間を有効に利用することができることから、一般に広く普及している。液晶表示装置は、前キャビネットの内側に配置された映像を表示する液晶表示パネルに、後キャビネットに収容してある光源から光を照射して、映像を表示するように構成されている（例えば特許文献１参照）。
【０００３】
光源の駆動によって熱が発生するが、発生した熱は後キャビネット内の空間に放出され、放出された熱によって温められた空気は、後キャビネットに設けてある排気口から排出される。このため光源の発熱によって、液晶表示パネル又は光源などの駆動を制御する制御回路に不具合が生じることはない。
【先行技術文献】
【特許文献】
【０００４】
【特許文献１】特開２００６−３２３１１５号公報
【発明の概要】
【発明が解決しようとする課題】
【０００５】
しかし前記液晶表示装置は、光源から発生した熱を放出するための空間を後キャビネット内に確保する必要があり、前記空間の確保は液晶表示装置の小型化を妨げる要因となっていた。
【０００６】
本発明は斯かる事情に鑑みてなされたものであり、その目的とするところは、光源から発生した熱を放出するために、後キャビネット内に確保される空間を最小限の大きさに止めて、小型化を図ることができる表示装置を提供することにある。
【課題を解決するための手段】
【０００７】
本発明に係る表示装置は、映像を表示する表示パネルの周囲に配置される枠形の前キャビネットと、該前キャビネットの後側に配置される後キャビネットと、該後キャビネットに収容され、前記表示パネルへ光を照射する光源とを備える表示装置において、前記後キャビネットの後面に開口が設けてあり、該開口に前記光源を対面させてあることを特徴とする。
【０００８】
本発明においては、後キャビネットの後面に設けた開口に光源を対面させて、該開口内の空間へ光源からの熱を放出し、後キャビネット内に確保される放熱のための空間を最小限の大きさに止める。
【０００９】
本発明に係る表示装置は、前記開口を塞ぐ蓋体を備えることを特徴とする。
【００１０】
本発明においては、前記開口を蓋体によって塞いで、表示装置の外観品位を向上させることができる。
【００１１】
本発明に係る表示装置は、前記蓋体と前記光源との間に、前記光源又は表示パネルの駆動を制御する制御基板が設けてあることを特徴とする。
【００１２】
本発明においては、前記蓋体と前記光源との間の空間に制御基板を設けることによって、表示装置の小型化を図ることができる。
【００１３】
本発明に係る表示装置は、前記光源を固定するための格子部が前記開口の内側に設けてあることを特徴とする。
【００１４】
本発明においては、開口内に設けた格子部に光源を安定に固定させ、また格子部の隙間に形成された空間に光源からの熱を放出させて、光源の確実な固定及び光源からの熱放出を両立させることができる。また光源と後キャビネットとを一体化させて、表示装置を効率よく組立てることができる。
【００１５】
本発明に係る表示装置は、前記格子部の交差部分に前後方向に延びる筒状のボス部が形成してあり、該ボス部を挿通したねじによって前記光源をねじ止めするようにしてあることを特徴とする。
【００１６】
本発明においては、格子部に形成してあるボス部を挿通したねじによって光源をボス部に密着させて固定し、簡素な構成にて光源を安定に支持することができる。
【００１７】
本発明に係る表示装置は、前記格子部は、前記制御基板を固定するための外向きに突出した固定部を備えることを特徴とする。
【００１８】
本発明においては、前記固定部にて制御基板を固定し、制御基板と格子部との間に空間を設けて、制御基板を安定に支持しつつ、制御基板から発生した熱を放出するための空間を確保する。
【００１９】
本発明に係る表示装置は、前記光源と前記表示パネルとの間に配置され、前記光源から照射された光を拡散する拡散板を備え、前記拡散板を係止する係止溝が前記後キャビネットの縁部分に形成してあることを特徴とする。
【００２０】
本発明においては、拡散板を後キャビネットに係止させて、拡散板と後キャビネットとをユニットにし、表示装置を効率よく組立てることができる。また従来は固定部材を介して拡散板を後キャビネットに固定していたが、後キャビネットに直接拡散板を固定することによって、部品点数を削減し、表示装置の小型化及び表示装置の組立工程の削減を図ることができる。
【００２１】
本発明に係る表示装置は、前記光源はＬＥＤユニットであることを特徴とする。
【００２２】
本発明においては、ＬＥＤユニットを光源とすることで発熱量を抑制し、熱による不具合が制御基板に発生することを防ぐことができる。
【００２３】
本発明に係る表示装置は、前記蓋体に端子を挿入するための挿入孔が設けてあることを特徴とする。
【００２４】
本発明においては、適用される表示装置の端子の仕様に応じて、蓋体に設けた挿入孔の形状を変更することで、異なる端子の仕様に対応させて表示装置を製造することができ、表示装置の生産性が向上する。
【発明の効果】
【００２５】
本発明に係る表示装置にあっては、後キャビネットの後面に設けた開口に光源を対面させて、該開口内の空間へ光源からの熱を放出し、後キャビネット内に確保される放熱のための空間を最小限に止め、小型化を図ることができる。
【図面の簡単な説明】
【００２６】
【図１】実施の形態１に係る表示装置を背面側から見た斜視図である。
【図２】図１にて示したＩＩ−ＩＩ線での略示平面断面図である。
【図３】蓋体を取り外した実施の形態２に係る表示装置を背面側から見た斜視図である。
【図４】実施の形態２に係る表示装置の略示平面断面図である。
【図５】実施の形態２に係る表示装置の変形例の略示平面断面図である。
【発明を実施するための形態】
【００２７】
（実施の形態１）
以下本発明を実施の形態１に係る表示装置を示す図面に基づいて詳述する。図１は表示装置を背面側から見た斜視図、図２は図１にて示したＩＩ−ＩＩ線での略示平面断面図である。
図において１は、液晶を備える矩形の表示パネル１であり、該表示パネル１は、液晶への印加電圧を制御して光の透過率を調整し、映像を表示するように構成されている。表示パネル１の周囲には矩形枠形の前キャビネット２が設けてあり、該前キャビネット２の開口の寸法は表示パネル１に対応した寸法となっている。前キャビネット２と表示パネル１との間には、静電気の放電を防止する耐ＥＳＤ（Electrostatic Discharge）フィルム３が設けてある。
【００２８】
前キャビネット２の後側には、前側が開放してある矩形箱形の後キャビネット４が設けてあり、該後キャビネット４の縁部分は前キャビネット２に対向している。後キャビネット４の縁部分の前部に、表示パネル１を載置する載置面４ａが形成してあり、表示パネル１が該載置面４ａに載置してある。表示パネル１は図示しない固定部材によって、後キャビネット４に固定してある。なお前キャビネット２は縁部分に爪部（図示せず）を備え、後キャビネット４は該爪部に対応する凹部（図示せず）を備えており、爪部と凹部とを係合させてある。また後キャビネット４の上部には複数の排気口４ｆが設けてあり、後キャビネット４の下部にはスタンド５０が取り付けてある。
【００２９】
後キャビネット４の縁部分の内側には、該縁部分に沿う係止溝４ｂが形成してあり、該係止溝４ｂは前記載置面４ａの後側に位置している。光を拡散する拡散板５の縁部分が前記係止溝４ｂに挿入してあり、拡散板５は係止溝４ｂにて係止されている。拡散板５の前面には、前方への集光を行う光学シート６が設けてある。後述するＬＥＤ７ｃから照射された光は、拡散板５及び光学シート６を透過して表示パネル１へ至り、液晶への印加電圧を制御することによって表示パネル１に所望の映像が表示される。
【００３０】
前記後キャビネット４の後面には矩形の開口４ｃが設けてある。後キャビネット４の内側から前記開口４ｃを塞ぐように、後キャビネット４に光源としてのＬＥＤユニット７を固定してある。該ＬＥＤユニット７は拡散板５に対向している。またＬＥＤユニット７は金属製の放熱板７ａと、該放熱板７ａの前面に設けてあるＬＥＤ基板７ｂと、該ＬＥＤ基板７ｂの前面に取り付けてあり、複数のＬＥＤ７ｃとを備える。
【００３１】
放熱板７ａの上下寸法は前記開口４ｃの上下寸法よりも小さくなっており、放熱板７ａの上下縁と開口４ｃの上下縁との間に隙間が空くように、放熱板７ａを後キャビネット４に固定してある。また放熱板７ａの後面は前記開口４ｃに対面している。そのためＬＥＤ７ｃにて発生した熱は放熱板７ａを伝播して開口４ｃ内の空間へ放出され、放熱板７ａから放出された熱によって温められた開口４ｃ内の空気は、放熱板７ａの上縁と開口４ｃの上縁との隙間を通って後キャビネット４内へ通流し、前記排気口４ｆを通って表示装置の外部へ排出される。また放熱板７ａの下縁と開口４ｃの下縁との隙間を通って、開口４ｃ内に空気が流入し、放熱板７ａが冷却される。なお放熱板７ａは表示装置を補強する補強板としても機能しており、またＬＥＤ基板７Ｂからの不要輻射を防ぐ防護板としても機能する。
【００３２】
ＬＥＤユニット７はＬＥＤ７ｃの光を反射させるための反射シート７ｄを更に備え、該反射シート７ｄにはＬＥＤ７ｃに対応する複数の孔が開設してある。ＬＥＤ７ｃを該孔に挿通させて、反射シート７ｄはＬＥＤ基板７ｂの前面に設けてある。
【００３３】
図２に示すように、後キャビネット４の後面における前記開口４ｃの周囲には、貫通孔４ｄが設けてある。該貫通孔４ｄの後部は拡径しており、貫通孔４ｄの後部の直径は、雄ねじ２１の頭部の直径よりも若干大きくなっている。
【００３４】
図２に示すように、前記放熱板７ａの後面に、前記貫通孔４ｄに対向する有底円筒形のねじ孔７ａａが設けてある。ねじ孔７ａａの内側には雌ねじが形成されている。後キャビネット４の後側から、貫通した貫通孔４ｄ及び有底円筒形のねじ孔７ａａに雄ねじ２１が螺合しており、該雄ねじ２１の螺合によって後キャビネット４と放熱板７ａとが連結されている。なお雄ねじ２１の頭部は、貫通した貫通孔４ｄの拡径した部分に位置しており、後方へ突出していない。
【００３５】
前記放熱板７ａの後面に、前記開口４ｃを塞ぐ矩形の蓋体８が取り付けてある。該蓋体８は前記開口４ｃよりも上下及び左右寸法が大きい。前記蓋体８の四隅には、貫通孔８ａがそれぞれ設けてある。該貫通孔８ａの後部は拡径しており、貫通孔８ａの後部の直径は雄ねじ２２の頭部の直径よりも若干大きくなっている。
【００３６】
図２に示すように、前記後キャビネット４の後面には、貫通した前記貫通孔８ａに対応する位置に、有底円筒形のねじ孔４ｅが設けてある。該ねじ孔４ｅの内側には雌ねじが形成されている。蓋体８の後側から、貫通した貫通孔８ａ及び有底円筒形のねじ孔４ｅに雄ねじ２２が螺合しており、該雄ねじ２２の螺合によって後キャビネット４と蓋体８とが連結されている。なお雄ねじ２２の頭部は、貫通した貫通孔８ａの拡径した部分に位置しており、後方へ突出していない。
【００３７】
前記蓋体８の前面に、ＬＥＤ７ｃ又は表示パネル１の駆動を制御する制御基板９が固定してある。該制御基板９は、前記放熱板７ａと蓋体８との間であって、前記開口４ｃの内側に位置している。制御基板９はＬＥＤ基板７ｂ又は表示パネル１に接続されている。なお開口４ｃの縁部分に支持部材を設け、該支持部材によって放熱板７ａと蓋体８との間に制御基板９を支持しても良い。
【００３８】
前記蓋体８の後面には、端子を挿入するための挿入孔８ｂが設けてあり、該挿入孔８ｂは、表示装置に用いられる端子の仕様に応じた形状をなす。挿入孔８ｂに挿入された端子は、対応する端子（図示せず）に接続される。
【００３９】
前記表示パネル１、拡散板５、光学シート６及びＬＥＤユニット７は後キャビネット４に固定してあり、表示パネル１、拡散板５、光学シート６、ＬＥＤユニット７及び後キャビネット４が一つのモジュールとなる。そのため該モジュールを予め組立てておき、表示装置に適用される仕様に合わせた前キャビネット２及び蓋体８を前記モジュールに取り付けて、表示装置を製造することができる。
【００４０】
実施の形態１に係る表示装置にあっては、後キャビネット４の後面に設けた開口４ｃにＬＥＤ７ｃを対面させて、該開口４ｃ内の空間へＬＥＤ７ｃからの熱を放出し、放熱のために後キャビネット４内に確保される空間の大きさを最小限に止め、小型化を図ることができる。
【００４１】
また拡散板５を後キャビネット４に設けた係止溝４ｂに係止させて、拡散板５と後キャビネット４とをユニットにし、表示装置を効率よく組立てることができる。また従来は固定部材を介して拡散板５を後キャビネット４に固定していたが、後キャビネット４に直接拡散板５を固定することによって、部品点数を削減し、表示装置の小型化及び表示装置の組立工程の削減を図ることができる。
【００４２】
また前記開口４ｃを蓋体８によって塞いで、表示装置の外観品位を向上させることができる。
【００４３】
また適用される表示装置の端子の仕様に応じて、蓋体８に設けた挿入孔の形状を変更することで、異なる端子の仕様に対応させて表示装置を製造することができ、表示装置の生産性を向上させることができる。
【００４４】
また前記蓋体８と前記ＬＥＤ７ｃとの間の空間、すなわ開口４ｃ内の空間に制御基板９を配置することによって、表示装置を小型にすることができる。
【００４５】
またＬＥＤ７ｃを光源とすることで発熱量を抑制し、熱による不具合が制御基板９に発生することを防ぐことができる。
【００４６】
実施の形態１に係る表示装置においては、光源としてＬＥＤ７ｃを使用しているが、直管型又はサークル型の蛍光管を光源として使用しても良い。
【００４７】
（実施の形態２）
以下本発明を実施の形態２に係る表示装置に基づいて詳述する。図３は蓋体８を取り外した表示装置を背面側から見た斜視図、図４は表示装置の略示平面断面図である。
図３に示すように、開口４ｃの内側に、上下及び左右に延びる条材が交差するように形成された格子部４０が設けてあり、該格子部４０は後キャビネット４と一体に成形されている。格子部４０の交差部分は、前後方向を軸方向とする円筒状に形成されたボス部４１となっている。該ボス部４１は貫通している。
【００４８】
図４に示すように、ＬＥＤユニット７の放熱板７ａの後面は、後キャビネット４の内側にて開口４ｃに対面している。放熱板７ａの後面には、有底円筒形のねじ孔７ａｂが形成してあり、図４に示すように、該ねじ孔７ａｂは前記ボス部４１に対応した位置に配してある。ボス部４１及び有底円筒形のねじ孔７ａｂに、後方から雄ねじ２３が螺合しており、該雄ねじ２３の螺合によってボス部４１と放熱板７ａとが連結されている。なお雄ねじ２３の頭部は開口４ｃ内に位置しており、開口４ｃから突出していない。また図４に示すように、雄ねじ２３の頭部は制御基板９と格子部４０との間に位置している。
【００４９】
実施の形態２に係る表示装置にあっては、開口４ｃ内に設けた格子部４０にＬＥＤ７ｃを安定に固定させ、また格子部４０の隙間に形成された空間にＬＥＤ７ｃからの熱を放出させて、ＬＥＤ７ｃの確実な固定及びＬＥＤ７ｃからの熱放出を両立させることができる。またＬＥＤ７ｃと後キャビネット４とを一体化させて、表示装置を効率よく組立てることができる。
【００５０】
また格子部４０に形成してあるボス部４１にＬＥＤ７ｃをねじ止めにて固定し、簡素な構成にてＬＥＤ７ｃを安定に支持することができる。
【００５１】
なお実施の形態２に係る表示装置において、格子部４０は上下及び左右に延びる条材が交差するように形成してあるが、右斜め上及び左斜め上に延びる条材が交差するように形成しても良い。
【００５２】
実施の形態２に係る表示装置の構成の内、実施の形態１に係る表示装置と同様な構成については同じ符号を付しその詳細な説明を省略する。
【００５３】
次に実施の形態２に係る表示装置の変形例について説明する。図５は変形例の略示平面断面図である。変形例において、格子部４０は、内側面に雌ねじを形成した後方に突出する円筒状のボス部４２（固定部）を複数備えている。制御基板９はボス部４２に対応する複数の貫通孔９ａを備えており、該貫通孔９ａを挿通したねじ２４をボス部４２に螺合させて、ボス部４２に密着するように制御基板９を格子部４０に固定してある。図５に示すように、蓋体８の前面における開口４ｃに対向する部分は後側へ窪んでおり、該窪みと開口４ｃとによる空間内に前記ねじ２４、制御基板９及びボス部４２は収まっている。
【００５４】
実施の形態２に係る表示装置の変形例においては、制御基板９をボス部４２にてねじ止めして、制御基板９と格子部４０との間に隙間を確保し、また制御基板９と蓋体８との間に隙間を確保しているので、制御基板９をボス部４２にて安定に支持しつつ、制御基板９から発生した熱を放出するための空間を確保することができる。
【００５５】
実施の形態２に係る表示装置の変形例は、蓋体８の前面における開口４ｃに対向する部分が後側へ窪んでいるが、蓋体８の前面は平坦であっても良い。この場合、開口４ｃ内にねじ２４、制御基板９及びボス部４２が収まるように、ねじ２４又はボス部４２を設計することは言うまでもない。
【符号の説明】
【００５６】
１  表示パネル
２  前キャビネット
４  後キャビネット
４ａ  載置面
４ｂ  係止溝
４ｃ  開口
５  拡散板
７  ＬＥＤユニット
７ａ  放熱板
７ｂ  ＬＥＤ基板
７ｃ  ＬＥＤ
８  蓋体
９  制御基板
４０  格子部
４１  ボス部
４２  ボス部（固定部）
【図１】
2010276857.tif 000003
【図２】
2010276857.tif 000004
【図３】
2010276857.tif 000005
【図４】
2010276857.tif 000006
【図５】
2010276857.tif 000007